(57)【特許請求の範囲】
【請求項１】
ステータの外周面を囲うモータフレームの両端方向から、それぞれ中心部に軸受を有するベアリングブラケットを対設させ、アルミニウム合金製モータ軸の原動側端部を原動側ベアリングブラケットの軸受に支承させ、アルミニウム合金製モータ軸の負荷側導出部を負荷側ベアリングブラケットの軸受に枢支させ、ステータの内周面と対向する部位におけるモータ軸外周面に磁性筒を嵌着させ、該磁性筒の外周面においてその円周方向に沿って複数枚の磁石板を定間隔に並列させた態様で定着することによりロータを構成させ、下面中央にポンプ吸込口を有し一側面にポンプ吐出口を導出させたポンプケーシング内まで、モータ軸の負荷側導出部を導延し該導延部に羽根車を装着して外装形ポンプを構成し、ステータの外周面を囲うモータフレームの両端方向から、それぞれ中心部に軸受を有するベアリングブラケットを対設させ、アルミニウム合金製モータ軸の原動側端部を原動側ベアリングブラケットの軸受に支承させ、アルミニウム合金製モータ軸の負荷側導出部を負荷側ベアリングブラケットの軸受に枢支させ、ステータの内周面と対向する部位におけるモータ軸外周面に磁性筒を嵌着させ、該磁性筒の外周面においてその円周方向に沿って複数枚の磁石板を定間隔に並列させた態様で定着することによりロータを構成させ、中央にポンプ吸込口を有する吸込カバー内までモータ軸の負荷側導出部を導延して該導延部に羽根車を装着し、モータ軸の原動側端部の外方において中央にポンプ吐出口を有する吐出カバーを前記吸込カバーと背向状に装着し、モータフレームの外周に環状の水路を形成させるよう外胴を繞設しポンプ吸込口とポンプ吐出口とを環状水路により導通させて内装形ポンプを構成し、外装形ポンプにおけるポンプ吐出口の先端外周縁と内装形ポンプにおけるポンプ吸込口の先端外周縁とを同径のフランジ接合縁に形成し、外装形ポンプにおけるポンプ吐出口と内装形ポンプにおけるポンプ吸込口とを対向状に衝合させ、両者のフランジ接合縁同士をワンタッチクランパーで着脱自在に締結させたことを特徴とするポンプ装置。
【発明の詳細な説明】
【０００１】
【発明の技術分野】
本発明は、外装形ポンプと内装形ポンプを連結させた高揚程排水向けのポンプ装置に関するものである。
【０００２】
【従来技術とその問題点】
ＤＣブラシレスモータは、交流誘導モータよりも小型軽量である。しかしそのロータ構造は図６に示すよう、環状に打抜かれた多数枚の硅素鋼板を積層してなる積層鉄心１１０を鋼製モータ軸１０５に嵌着させ、積層鉄心１１０の外周面においてその円周方向に沿って複数本の棒状磁石１１１を定間隔に並列させた態様となっている。従ってＤＣブラシレスモータを用いたポンプも、直径・重量共に相当程度大となり、例えば高揚程排水向けに複数台のポンプを直結して使用する場合、或いは緊急排水時の持ち運びを容易に行わせるためには更なる小型軽量化が望まれるところである。
【０００３】
【発明の目的】
本発明の目的は、従来よりも更に小型軽量に構成されて緊急排水時の持ち運びにも至便であり、複数台のポンプを着脱自在に直結させて高揚程排水向けにも即応できるポンプ装置を提供することにある。
【０００４】
【発明の構成】
本発明に係るポンプ装置では、ステータの外周面を囲うモータフレームの両端方向から、それぞれ中心部に軸受を有するベアリングブラケットを対設させ、アルミニウム合金製モータ軸の原動側端部を原動側ベアリングブラケットの軸受に支承させ、アルミニウム合金製モータ軸の負荷側導出部を負荷側ベアリングブラケットの軸受に枢支させ、ステータの内周面と対向する部位におけるモータ軸外周面に磁性筒を嵌着させ、該磁性筒の外周面においてその円周方向に沿って複数枚の磁石板を定間隔に並列させた態様で定着することによりロータを構成させ、下面中央にポンプ吸込口を有し一端面にポンプ吐出口を導出させたポンプケーシング内まで、モータ軸の負荷側導出部を導延し該導延部に羽根車を装着して外装形ポンプを構成し、ステータの外周面を囲うモータフレームの両端方向から、それぞれ中心部に軸受を有するベアリングブラケットを対設させ、アルミニウム合金製モータ軸の原動側端部を原動側ベアリングブラケットの軸受に支承させ、アルミニウム合金製モータ軸の負荷側導出部を負荷側ベアリングブラケットの軸受に枢支させ、ステータの内周面と対向する部位におけるモータ軸外周面に磁性筒を嵌着させ、該磁性筒の外周面においてその円周方向に沿って複数枚の磁石板を定間隔に並列させた態様で定着することによりロータを構成させ、中央にポンプ吸込口を有する吸込みカバー内までモータ軸の負荷側導出部を導延して該導延部に羽根車を装着し、モータ軸の原動側端部の外方において中央にポンプ吐出口を有する吐出カバーを前記吸込カバーと背向状に装着し、モータフレームの外周に環状の水路を形成させるよう外胴を繞設しポンプ吸込口とポンプ吐出口とを環状水路により導通させて内装形ポンプを構成し、外装形ポンプにおけるポンプ吐出口の先端外周縁と内装形ポンプにおけるポンプ吸込口の先端外周縁とを同径のフランジ接合縁に形成し、外装形ポンプにおけるポンプ吐出口と内装形ポンプにおけるポンプ吸込口とを対向状に衝合させ、両者のフランジ接合縁同士をワンタッチクランパーで着脱自在に締結させた。
【０００５】
【実施例】
以下実施例の図１ないし図５により説明をする。
【０００６】
図１および図５において、Ａは本発明ポンプ装置における外装形ポンプであり、図１において、Ａ１はステータＡ２の外周を囲うモータフレーム、Ａ３はモータフレームＡ１の一端に設けられた原動側ベアリングブラケット、Ａ４はモータフレームＡ１の他端に設けられた負荷側ベアリングブラケットであって、中心部には後記モータ軸５の負荷側導出部５ｂを貫通させる軸孔Ａ６が穿設されている。７は原動側ベアリングブラケットＡ３の内面中央に装着された軸受、８は負荷側ベアリングブラケットＡ４の内面において軸孔Ａ６の周辺部に装着された軸受である。前記モータ軸５はアルミニウム合金製であり、その原動側端部５ａは原動側ベアリングブラケットＡ３の軸受７によって枢支され、負荷側導出部５ｂは負荷側ベアリングブラケットＡ４の軸受８によって枢支されると共に軸孔Ａ６を貫通して後記吸込ポンプケーシングＡ９内まで導延されている。ステータＡ２の内周面と対向する部位におけるアルミニウム合金製モータ軸５の外周面は、図３に詳示すよう、原動側端部５ａおよび負荷側導出部５ｂよりも大径に形成されており、且つ該外周面大径部には磁性筒１０が嵌着されている。１１は強磁力薄型の磁石板であり、図４に示すよう、横断面形状が磁性筒１０の外周面に沿うよう円弧状に曲成されており、磁性筒１０の外周面においてその円周方向に沿って複数枚を定間隔に並列させた態様で定着することにより超軽量のロータが構成される。再び図１において、Ａ１２はモータフレームＡ１の上端部を  蓋装するヘッドカバーであり実施例の図面には原動側ブラケットＡ３と一体構造に作られたものが示されている。Ａ９は下面中央にポンプ吸込口Ａ２０を有し一側面にポンプ吐出口Ａ２２を導出させたポンプケーシングであり、該ポンプケーシングＡ９には羽根車Ａ１８がモータ軸５の負荷側導出部５ｂに装着された状態で収容され、ポンプ吐出口Ａ２２の先端外周縁はフランジ接合縁Ａ２８に形成されている。Ａ１９はポンプ吸込口Ａ２０の外周を囲うストレーナ、Ａ２４はヘッドカバーＡ１２上に付設された提手である。
【０００７】
図２および図５において、Ｂは本発明ポンプ装置における内装形ポンプであり、図２において、Ｂ１はステータＢ２の外周を囲うモータフレーム、Ｂ３はモータフレームＢ１の一端に設けられた原動側ベアリングブラケット、Ｂ４はモータフレームＢ１の他端に設けられた負荷側ベアリングブラケットであって、中心部に後記モータ軸５の負荷側導出部５ｂを貫通させる軸孔Ｂ６が穿設されている。７は原動側ベアリングブラケットＢ３の内面中央に装着された軸受、８は負荷側ベアリングブラケットＢ４の内面において軸孔Ｂ６の周辺部に装着された軸受である。前記モータ軸５はアルミニウム合金製であり、その原動側端部５ａは原動側ベアリングブラケットＢ３の軸受７によって枢支され、負荷側導出部５ｂは負荷側ベアリングブラケットＢ４の軸受８によって枢支されると共に軸孔Ｂ６を貫通して後記吸込カバーＢ９内まで導延されている。ステータＢ２の内周面と対向する部位におけるアルミニウム合金製モータ軸５の外周面は、図３に詳示するよう、原動側端部５ａおよび負荷側導出部５ｂよりも大径に形成されており、且つ該外周大径部には磁性筒１０が装着されている。１１は強磁力薄型の磁石板であり、図４に示すよう横断面形状が磁性筒１０の外周面に沿うよう円弧状に曲成されており、磁性筒１０の外周面においてその円周方向に沿って複数枚を定間隔に並列させた態様で定着することにより超軽量のロータが構成される。再び図２において、Ｂ９は中央にポンプ吸込口Ｂ２０を有する吸込カバーであり、モータ軸５の負荷側導出部６ｂは該吸込カバー９内まで導延されて該導延部に羽根車Ｂ１８を装着する。Ｂ１２は中央にポンプ吐出口Ｂ２２を有する吐出カバーであり、モータ軸５の原動側端部５ａの外方において前記吸込カバーＢ９と背向状に装着される。Ｂ２６はモータフレームＢ１の外周に環状の水路Ｂ２７を形成させるよう繞設された外胴であり、ポンプ吸込口Ｂ２０とポンプ吐出口Ｂ２２とは環状水路Ｂ２６によって導通することになる。ポンプ吸込口Ｂ２０の先端外周縁は外水路形ポンプＡにおけるポンプ吐出口Ａ２２の先端外周縁と同径のフランジ接合縁Ｂ２８に形成する。２１はヘルール式のワンタッチクランパーである。
【０００８】
なお、外装形ポンプＡおよび内装形ポンプＢにおけるロータ部分は既述の構成によって超軽量に作られているが、他の部分、例えば外装形ポンプＡにおけるモータフレームＡ１、原動側ベアリングブラケットＡ３、負荷側ベアリングブラケットＡ４、ポンプケーシングＡ９、ヘッドカバーＡ１２、羽根車Ａ１８、内装形ポンプＢにおけるモータフレームＢ１、原動側ベアリングブラケットＢ３、負荷側ベアリングブラケットＢ４、吸込カバーＢ９、吐出カバー１２、羽根車Ｂ１８等の製作についても、例えばアルミニウム合金のように軽量で強靱な材質を選定することが望ましい。
【０００９】
そして使用時には図５に示すよう、立設された外装形ポンプＡのポンプ吐出口Ａ２２と、横臥させた内装形ポンプＢのポンプ吸込口Ｂ２０とを対向状に衝合させ、両者のフランジ接合縁Ａ２８，Ｂ２８同士をワンタッチクランパー２１で着脱自在に締結させる。
【００１０】
【発明の効果】
本発明によれば、独特のロータ構造によって小型軽量化を実現し、緊急排水時の持ち運びに至便であると共に接続部へ加わる荷重も小さいため、従来のような大型フランジとボルト・ナットによる煩雑な作業を必要とすることなく、簡単なへルール式のワンタッチクランパーで十分なため、旋工の作業性にも優れ外装形ポンプと内装形ポンプを着脱自在に連結させて高揚程排水向けにも即応できるという利点がある。
【図面の簡単な説明】
【図１】  本発明ポンプ装置における外装形ポンプの縦断側面図である。
【図２】  本発明ポンプ装置における内装形ポンプの縦断側面図である。
【図３】  本発明ポンプ装置におけるモータ軸の要部縦断側面図である。
【図４】  図３のＸ−Ｘ線における横断面図である。
【図５】  本発明ポンプ装置の要部縦断側面図である。
【図６】  従来のＤＣブラシレスモータにおけるロータの要部縦断側面図である。
【符号の説明】
５      アルミニウム合金製モータ軸
５ａ    原動側端部
５ｂ    負荷側導出部
７      原動側の軸受
８      負荷側の軸受
１０    磁性筒
１１    磁石板
２１    ワンタッチクランパー
Ａ      外装形ポンプ
Ａ１    モータフレーム
Ａ２    ステータ
Ａ３    原動側ベアリングブラケット
Ａ４    負荷側ベアリングブラケット
Ａ１２  ヘッドカバー
Ａ１８  羽根車
Ａ２０  ポンプ吸込口
Ａ２２  ポンプ吐出口
Ａ２８  フランジ接合縁
Ｂ      内装形ポンプ
Ｂ１    モータフレーム
Ｂ２    ステータ
Ｂ３    原動側ベアリングブラケット
Ｂ４    負荷側ベアリングブラケット
Ｂ９    吸込カバー
Ｂ１２  吐出カバー
Ｂ１８  羽根車
Ｂ２０  ポンプ吸込口
Ｂ２２  ポンプ吐出口
Ｂ２６  外胴
Ｂ２７  環状の水路
Ｂ２８  フランジ接合縁
【図１】
0004618906.tif 000002
【図２】
0004618906.tif 000003
【図３】
0004618906.tif 000004
【図４】
0004618906.tif 000005
【図５】
0004618906.tif 000006
【図６】
0004618906.tif 000007